(57)【要約】      （修正有）【課題】踏み桟間カバーの掛け外し作業を皆無にした折り畳み式にして各種建設作業、植木剪定作業等に安全に利用することを可能にした脚立を提供する。【解決手段】Ｖ型に対向配置した二対の脚柱１０１、１０２と、各対における脚柱１０１、１０２間に渡した所定幅の踏み桟１０３、１０４と、二対の脚柱１０１、１０２の頂部に設けた連結天板１０５と、連結天板１０５の中央部に設けられ二対の脚柱１０１、１０２を開閉可能に連結する連結具と、脚柱下端の保護と滑り止めのための脚端具１０７とからなる脚立において、前記二対の脚柱１０１、１０２の対間に対向する踏み桟１０３、１０４対に、両端部の各々を当該踏み桟１０３、１０４に回転可能に装着し中央部を折り畳み可能に連結した踏み桟間カバー２００を設置したことを特徴とする脚立。【選択図】図１
0003181185.tif 000002
【実用新案登録請求の範囲】
【請求項１】
Ｖ型に対向配置した二対の脚柱と、各対における脚柱間に渡した所定幅の踏み桟と、二対の脚柱の頂部に設けた連結天板と、連結天板の中央部に設けられ二対の脚柱を開閉可能に連結する連結具と、脚柱下端の保護と滑り止めのための脚端具とからなる脚立において、前記脚柱の対間に対向する踏み桟対に、両端部の各々を当該踏み桟に回転可能に装着し中央部を折り畳み可能に連結した踏み桟間カバーを設置したことを特徴とする脚立。
【考案の詳細な説明】
【技術分野】
【０００１】  本考案は、各種建設作業、植木剪定作業等に安全に且つ作業効率を高めて利用することを可能にした脚立に関するものである。
【背景技術】
【０００２】  脚立を利用する作業者の基本的な心得は一般公知の使用基準を厳守することが肝要であることは言うまでもない。
例えば、足元の支え状態の確認、脚立の固定状態、脚立の踏桟の水平状態の確認、作業位置の確認、横向き作業の回避、片手作業の回避、工具の肩掛けベルトの使用等々である。【０００３】また脚立の安全基準構成は、一対の開閉式脚柱、脚柱間に渡した所定幅の踏み桟（ふみせん）、脚柱の頂部に設けた天板、天板の中央部に設けられ脚柱の開閉を可能にする蝶番、脚柱の所定の開脚角度を保持する開き止め、脚柱下端の保護と滑り止めのための脚端具とからなる。これ等の構造部は所定の相対関係で形成され且つその構造体形状を崩さないように強固なものにしてある。
そしてこの脚立は、脚柱と水平面との角度を７５℃以下に開脚して転倒を防止し、また対面する踏み桟間にカバーを渡して踏み外し転落を防止するなど作業の安全を確保している。【０００４】  而して、前記転落防止用の前記踏み桟間カバーは、断面コの字型の一体の渡し板であり全ての踏み桟間のサイズに合わせて作成される。
このため脚立を所定の作業箇所に近接して設置する作業でのネックは、サイズの異なる各踏み桟間カバーを当該踏み桟に順に掛け外す繁雑な作業を伴い作業効率を著しく低下させることである。【０００５】例えば作業箇所の変更に伴う脚立の移動は、移動箇所が遠くの場合は踏み桟間カバーを一旦外した後に移動し、移動後また掛け直する。また移動箇所が近くの場合は踏み桟間カバーを掛けたままの二人移動作業となり、またカバーが外れたり偏移するためその点検調節査業が必要となる。
【考案の概要】
【考案が解決しようとする課題】
【０００６】本考案は、踏み桟間カバーの掛け外し作業を皆無にした折り畳み式にして各種建設作業、植木剪定作業等に安全に利用することを可能にした脚立を提供するものである。
【課題を解決するための手段】
【０００７】上記課題を満足させる本考案の基本的な技術構成は、次の（１）の通りである。
（１）、Ｖ型に対向配置した二対の脚柱と、各対における脚柱間に渡した所定幅の踏み桟と、二対の脚柱の頂部に設けた連結天板と、連結天板の中央部に設けられ二対の脚柱の開閉を可能にする連結具と、脚柱下端の保護と滑り止めのための脚端具とからなる脚立において、前記脚柱の対間に対向する踏み桟対の各々に、両端部の各々を当該踏み桟に回転可能に装着し中央部を折り畳み可能に連結した踏み桟間カバーを設置したことを特徴とする脚立。
【考案の効果】
【０００８】本考案の脚立は、踏み桟間カバーの掛け外し作業を皆無にして各種建設作業、植木剪定作業等に利用して、その安全作業と作業効率の向上を確保するものである。
また本考案の脚立は、踏み桟間カバーを折り畳み式にしたため、二対の脚柱の所定の開脚角度を保持する開き止めを省略することができる。
【図面の簡単な説明】
【０００９】
【図１】本考案の実施例１を示し図２の矢視Ａ−Ａからの側断面説明図であり、（１）は二対の脚柱を開いた状態を示し、（２）は閉じた状態を示す。
【図２】図１の矢視Ｂ−Ｂからの正面図である。
【図３】図１の矢視Ｃ−Ｃから見た踏み桟間カバーの平面図である。
【考案を実施するための形態】
【００１０】本考案において、踏み桟間カバーは、アルミや鉄等の金属製、強化プラスチック等の樹脂製、で板状又はエキスパンドメタル等のように網状金属板、或いはスリット形成板、タンザク状噛み合わせ板等を言う。
【００１１】本考案において、踏み桟への踏み桟間カバーの装着は踏み桟に軸部を形成しこれに桟間カバーの両端部に回転可能に設けた軸受部或いはフック部を連結する。
【００１２】本考案において、踏み桟間カバーの中央の折り畳み可能な連結部手段は蝶番連結、或いは柔軟なラバー連結等公知の連結具を適宜採用する。
【００１３】また作業中における踏み桟間カバーの折り畳み前の状態の維持とその解除は、ラチエット式、カム式、ロックピン式等適宜な公知のロック・解除機構を採用する。またロック・解除機構として二対の脚柱の所定の開脚角度を保持する本来付設の開き止めを兼用してもよい。
以下に本考案を実施するための形態を実施例により詳細に説明する。
【実施例１】
【００１４】  図１〜図３に実施例１をしめす。
本実施例の脚立Ｋは、Ｖ型に対向配置した二対の脚柱１０１、１０２と、各対における脚柱１０１と１０１との間、及び脚柱１０２と１０２との間に渡した所定幅の踏み桟１０３、１０４と、二対の脚柱の頂部に設けた連結天板１０５と、連結天板１０５の中央部に設けられ二対の脚柱の開閉を可能にする蝶番１０６と、脚柱１０１、１０２の下端の保護と滑り止めのための脚端具１０７と、脚柱１０１、１０２の所定の開脚角度を保持する開き止め金具１０８と、踏み桟間カバー２００とからなる。【００１５】前記踏み桟間カバー２００は、前記したアルミや鉄等の金属製、強化プラスチック等の樹脂製、で板状又はエキスパンドメタル等のように網状金属板、或いはスリット形成板、タンザク状噛み合わせ板で二つ折り可能に２０１と２０２に分割して成形したものである。
この、踏み桟間カバー２０１と踏み桟間カバー２０２は一端部の両側と中央部に軸受２０３〜２０５、２０６〜２０８を設けこれらを、脚柱１０１と１０２の両端部と中央部の軸部１１１〜１１３、１１４〜１１６に回転可能に装着する。また踏み桟間カバー２０１と踏み桟間カバー２０２の他端部は折り畳み可能に蝶番２１０で連結したものである。
最下段の踏み桟１０３、１０４には踏み桟間カバー２００は、折り畳む際脚柱１０１、１０２の下方に飛び出てしまうため安全上と持ち運びを簡易にするため設置していない。【００１６】  脚立Ｋは、開き止め１０８と踏み桟間カバー２００を折り畳んだ状態を図１の（２）に示す。この状態から脚柱１０１と１０２を開き止め１０８で制限した所定角度開脚開くことにより踏み桟間カバー２００を図１の（１）の状態つまり一直線状にする。開き止め金具１０８は踏み桟間カバー２００と同様に直線状態になり脚柱１０１と１０２のこれ以上の開脚を阻止する。
この脚立Ｋを使用しての作業中はこの図１の（１）の状態を維持して作業者の転落や落下を防止する。【００１７】作業が終了すれば、作業箇所の変更に伴う脚立の移動は、移動箇所が遠くの場合は踏み桟間カバー２００を外すことなく図１の（２）のように畳めば一人作業で移動することができる。
また移動箇所が近くの場合は図１の（１）のまま一人作業で移動させることができる。このため作業中の踏み桟間カバー２００の点検調節査業は不要となる。
【産業上の利用可能性】
【００１８】  本考案は前記した優れた作用効果を呈するものである。このため、各種建設業界及び植木剪定等の造園業界に貢献すること多大なものがある。
【符号の説明】
【００１９】Ｋ：脚立
１０１、１０２：脚柱
１０３、１０４：踏み桟
１０５：連結天板
１０６：蝶番
１０７：脚端具
１０８：開き止め金具
２００：踏み桟間カバー
【図１】
0003181185.tif 000003
【図２】
0003181185.tif 000004
【図３】
0003181185.tif 000005